(57)【要約】  ワイヤレス端末に関係する複数の接続のサポートを容易にするシステムと方法を説明する。ワイヤレス端末と２次基地局との間の接続が確立および／または除去されると、通知が１次基地局に提供されてもよい。さらに、複数の接続が評価されてもよく、１組の複数の接続のうちの優先されている接続を利用して、ダウンリンク接続を通してワイヤレス端末にデータを転送してもよい。【選択図】図４
2009544243.tif 000002
【特許請求の範囲】
【請求項１】
ワイヤレス端末に関係する複数の接続のサポートを容易にする方法において、
第１の基地局に対する第１の接続を提供することと、
第２の基地局から発せられた信号を受信することと、
前記第２の基地局に対する第２の接続を確立することと、
前記第２の接続の確立を示す通知を、前記第１の基地局に送ることと
を含む方法。
【請求項２】
前記通知は、前記第２の基地局の識別を含む、請求項１記載の方法。
【請求項３】
第３の基地局との第３の接続を確立することと、
前記第３の接続の確立を示す通知を、前記第１の基地局に送ることと
をさらに含む、請求項１記載の方法。
【請求項４】
第３の基地局との第３の接続を終了させることと、
前記第３の基地局の終了を示す通知を、前記第１の基地局に送ることと
をさらに含む、請求項１記載の方法。
【請求項５】
第３の基地局との第３の接続を確立することと、
前記第２の基地局との前記第２の接続を終了させることと、
前記確立された第３の接続と前記終了された第２の接続とを、前記第１の基地局に通知することと
をさらに含む、請求項１記載の方法。
【請求項６】
前記第２の基地局を１次基地局であるとして選択することと、
１つ以上の２次接続の存在を、前記第２の基地局に通知することと
をさらに含む、請求項１記載の方法。
【請求項７】
前記第２の基地局から発せられた受信信号から、前記第２の基地局に関連する少なくとも部分的な識別子を導出することをさらに含み、
前記第２の基地局から発せられた信号はビーコンである、請求項１記載の方法。
【請求項８】
前記第２の基地局から発せられた信号を解析することと、
前記第２の基地局に対する前記第２の接続を確立するか否かを決定することと
をさらに含む、請求項１記載の方法。
【請求項９】
信号を前記第２の基地局に送信して、前記第２の基地局を１次基地局として選択することをさらに含み、
前記１次基地局は、前記ワイヤレス端末に向けてルーティングされるデータをコアネットワークから取得する、請求項１記載の方法。
【請求項１０】
前記第１の接続と前記第２の接続とを評価することと、
リンク優先情報を送信して、前記評価に基づいて、前記第１の接続と前記第２の接続とのうちの１つを選択することと、
前記リンク優先情報に関係する前記選択された接続を介して、パケットを受信することと
をさらに含む、請求項１記載の方法。
【請求項１１】
前記リンク優先情報はビットである、請求項１０記載の方法。
【請求項１２】
前記リンク優先情報は、専用制御チャネルを介して送信される、請求項１０記載の方法。
【請求項１３】
前記リンク優先情報は、前記第１の基地局と前記第２の基地局との両方に送信される、請求項１０記載の方法。
【請求項１４】
ワイヤレス通信装置において、
第１の基地局と第２の基地局とのうちから、優先される基地局を選択するための命令を保持するメモリと、
前記第１の基地局に関係する第１の接続と、前記第２の基地局に関係する第２の接続とを評価して、前記保持された命令に基づいて、前記優先される基地局を識別するリンク優先情報を送信し、前記優先される基地局を介してパケットを取得するプロセッサと
を具備するワイヤレス通信装置。
【請求項１５】
前記リンク優先は、それぞれの専用制御チャネルを介して、前記第１の基地局と前記第２の基地局との両方に送信される、請求項１４記載のワイヤレス通信装置。
【請求項１６】
前記プロセッサは、第３の接続を確立し、前記第３の接続の確立に関して、１次基地局に通知し、前記１次基地局は、前記第１の基地局と前記第２の基地局とのうちの１つである、請求項１４記載のワイヤレス通信装置。
【請求項１７】
前記プロセッサは、前記第２の接続を終了させ、前記第２の接続の終了に関して、前記第１の基地局に通知し、前記第１の基地局は１次基地局である、請求項１４記載のワイヤレス通信装置。
【請求項１８】
新しく確立された接続に関係する通知を、１次基地局に提供するワイヤレス通信装置において、
第１の基地局に対する第１の接続を提供する手段と、
第２の基地局から発せられた信号を取得する手段と、
前記第２の基地局に対する第２の接続を確立する手段と、
前記第２の接続の確立を示す通知を、前記第１の基地局に送信する手段と
を具備するワイヤレス通信装置。
【請求項１９】
前記第２の基地局から発せられた前記取得された信号に少なくとも部分的に基づいて、前記第２の基地局に対する前記第２の接続を確立するか否かを決定する手段をさらに具備する、請求項１８記載のワイヤレス通信装置。
【請求項２０】
前記第１の接続と前記第２の接続とを評価する手段と、
優先される基地局を識別するリンク優先情報を送信する手段と、
前記優先される基地局を介してパケットを取得する手段と
をさらに具備する、請求項１８記載のワイヤレス通信装置。
【請求項２１】
機械読取可能媒体において、
第２の基地局から発せられた信号を取得するための記憶された機械実行可能命令と、
前記第２の基地局に対する第２の接続を生成させるための記憶された機械実行可能命令と、
前記第２の接続の確立を示す通知を、第１の基地局に送信するための記憶された機械実行可能命令と
を有する、機械読取可能媒体。
【請求項２２】
前記機械実行可能命令は、
前記第１の基地局に対する第１の接続と、前記第２の基地局に対する第２の接続とを評価して、優先される基地局を決定することと、
前記優先される基地局に関連するビットを、前記第１の基地局と、前記第２の基地局とに送信することと、
前記優先される基地局に関係するダウンリンクを介してパケットを取得することと
をさらに含む、請求項２１記載の機械読取可能媒体。
【請求項２３】
前記機械実行可能命令は、
第３の基地局との第３の接続を終了させることと、
前記第３の基地局の終了を示す通知を、前記第１の基地局に送ることと
をさらに含み、
前記第１の基地局は１次基地局である、請求項２１記載の機械読取可能媒体。
【請求項２４】
プロセッサにおいて、
第１の基地局に対する第１の接続と、第２の基地局に対する第２の接続とのうちから、優先される接続を選択するための命令と、
前記選択された、優先される接続に基づいて、リンク優先情報を送信するための命令と、
前記選択された、優先される接続を介してパケットを受信するための命令と
を実行する、プロセッサ。
【請求項２５】
ワイヤレス端末に対して送信されることになるパケットのルーティングを容易にする方法において、
受信されたリンク優先情報を評価することによって、基地局が優先される基地局であるか否かを決定することと、
前記基地局が前記優先される基地局であるとき、パケットをワイヤレス端末に送信することと
を含む方法。
【請求項２６】
前記基地局が、前記ワイヤレス端末に向けてルーティングされるデータをコアネットワークから取得する１次基地局であるか否かを決定することと、
前記基地局が、前記１次基地局であり、かつ、前記優先される基地局であるとき、パケットを少なくとも１つの２次基地局に転送することを続けるか否かを評価することと、
前記評価に基づいて、転送を止めることと
をさらに含む、請求項２５記載の方法。
【請求項２７】
前記１次基地局決定は、受信された明示的な通信に基づいている、請求項２６記載の方法。
【請求項２８】
前記基地局が、前記ワイヤレス端末に向けてルーティングされるデータをコアネットワークから取得する１次基地局であるか否かを決定することと、
前記基地局が、前記１次基地局であり、かつ、前記優先される基地局でないとき、前記パケットのコピーを保持することと、
前記パケットを少なくとも１つの２次基地局に転送することと
をさらに含む、請求項２５記載の方法。
【請求項２９】
前記リンク優先情報を評価することは、専用制御チャネルを監視することを含む、請求項２５記載の方法。
【請求項３０】
前記リンク優先情報を評価することは、リンク優先ビットが設定されているか否かを識別することを含む、請求項２５記載の方法。
【請求項３１】
前記ワイヤレス端末と、異なる基地局との間の接続の確立を示す通知を受信することをさらに含む、請求項２５記載の方法。
【請求項３２】
前記ワイヤレス端末と、異なる基地局との間の接続の終了を示す通知を取得することをさらに含む、請求項２５記載の方法。
【請求項３３】
ワイヤレス通信装置において、
前記ワイヤレス端末に向けてルーティングされ、コアネットワークから取得したパケットを保持するメモリと、
１次基地局が優先される基地局であるか否かを決定し、前記１次基地局が前記優先される基地局でないとき、前記パケットのコピーを保持し、前記パケットを２次基地局に転送するプロセッサと
を具備するワイヤレス通信装置。
【請求項３４】
前記プロセッサは、専用制御チャネルを介して受信されたリンク優先情報に少なくとも部分的に基づいて、前記１次基地局が前記優先される基地局であるか否かを決定する、請求項３３記載のワイヤレス通信装置。
【請求項３５】
前記プロセッサは、確立された２次接続と、終了された２次接続とのうちの少なくとも１つに関連する通知を、前記１次基地局において取得する、請求項３３記載のワイヤレス通信装置。
【請求項３６】
パケットをルーティングするワイヤレス通信装置において、
基地局が１次基地局であるか否かを評価する手段と、
前記基地局が優先される基地局であるか否かを決定する手段と、
前記基地局が前記１次基地局であるか否かと、前記基地局が前記優先される基地局であるか否かとに基づいて、パケットをルーティングする手段と
を具備するワイヤレス通信装置。
【請求項３７】
前記優先される基地局に関連するリンク優先情報を、専用制御チャネルを介して取得する手段をさらに具備する、請求項３６記載のワイヤレス通信装置。
【請求項３８】
機械読取可能媒体において、
基地局が優先される基地局であるか否かを決定するための記憶された機械実行可能命令と、
前記基地局が前記優先される基地局であるとして決定されるとき、パケットをワイヤレス端末に送信するための記憶された機械実行可能命令と
を有する、機械読取可能媒体。
【請求項３９】
前記機械実行可能命令は、
専用制御チャネルを介して取得された、受信されたリンク優先情報を評価することをさらに含む、請求項３８記載の機械読取可能媒体。
【請求項４０】
前記機械実行可能命令は、
前記基地局が１次基地局であるとき、前記パケットを２次基地局に転送するか否か決定することをさらに含む、請求項３８記載の機械読取可能媒体。
【請求項４１】
プロセッサにおいて、
ワイヤレス端末からリンク優先情報を受信するための命令と、
前記リンク優先情報を評価して、基地局が優先される基地局であるか否かを決定するための命令と、
前記基地局が前記優先される基地局であるとき、パケットを前記ワイヤレス端末に送信するための命令と
を実行するプロセッサ。
【発明の詳細な説明】
【分野】
【０００１】
以下の説明は、一般的にワイヤレス通信に関連し、より詳細には、ワイヤレス通信システムにおいて、ハンドオフと複数の接続とをサポートすることに関連する。
【背景】
【０００２】
さまざまなタイプの通信を提供するために、ワイヤレス通信システムが幅広く配備されており；例えば、このようなワイヤレス通信システムを介して、音声および／またはデータが提供されてもよい。一般的なワイヤレス通信システムまたはネットワークは、１つ以上の共有リソースに対する、複数のユーザアクセスを提供できる。例えば、システムは、周波数分割多重化（ＦＤＭ）、時間分割多重化（ＴＤＭ）、コード分割多重化（ＣＤＭ）、または、他のもののような、さまざまな多元接続技術を使用してもよい。
【０００３】
普通のワイヤレス通信システムは、カバレッジエリアを提供する１つ以上の基地局を用いる。一般的な基地局は、ブロードキャスト、マルチキャスト、および／または、ユニキャストのサービスのために、複数のデータストリームを送信でき、ここで、データストリームは、興味のあるワイヤレス端末が独立して受信することができるデータのストリームであってもよい。このような基地局のカバレッジエリア内のワイヤレス端末を用いて、コンポジットストリームによって搬送される、１つの、１つより多い、または、すべてのデータストリームを受信できる。同様に、ワイヤレス端末は、基地局または別のワイヤレス端末にデータを送信できる。
【０００４】
ワイヤレス通信システムにおいて、コアネットワークに接続される１つの基地局から、このコアネットワークに接続される第２の基地局に対して、進行中の通信セッションを移すために、通常、ハンドオフが用いられる。ワイヤレス端末がある時間において１つの基地局に接続されるハードハンドオフが用いられることが多い。したがって、異なる基地局に移行するために、ワイヤレス端末は、新しい基地局に接続する前に、ある時間期間の間、無線リンクを途絶えさせる（例えば、メークビフォアブレーク）。
【０００５】
ＣＤＭＡシステム中で一般的に利用される、ハンドオフのための別の従来技術は、ワイヤレス端末がいくつかの基地局に同時に接続されるソフトハンドオフを用いる。ＣＤＭＡシステムにおいて、これに対してワイヤレス端末が接続されている１組の基地局は、ワイヤレス端末のためのアクティブセットとして呼ばれることがある。従来では、ダウンリンクのソフトハンドオフは、異なる基地局から、あるワイヤレス端末に対する同時の通信を利用することが多く、これは非効率であるかもしれない。その理由は、信号の複数のコピーが、このワイヤレス端末に送信されるかもしれないからである。さらに、複数の冗長な無線送信は、ＩＰデータに関連する、より高いビットレートの信号に対して、特に非効率であるかもしれない。
【発明の概要】
【０００６】
以下では、このような実施形態の基本的な理解をもたらすために、１つ以上の実施形態を簡潔にした要約を提示する。この要約は、すべての企図されている実施形態の拡張的な概要ではなく、キーとなる、または、重要な構成要素を識別することや、あるいは、任意のまたはすべての実施形態の範囲を線引きすることをいずれも意図していない。この唯一の目的は、後で提示する、より詳細な説明に対する前置きとして、簡潔な形態で１つ以上の実施形態のいくつかの概念を提示することである。
【０００７】
１つ以上の実施形態と、その対応する開示にしたがって、ワイヤレス端末に関係する複数の接続のサポートを容易にすることに関して、さまざまな観点を説明する。ワイヤレス端末と２次基地局との間の接続が、確立および／または除去されると、１次基地局に通知を提供してもよい。さらに、複数の接続を評価してもよく、１組の複数の接続のうちの優先される接続を利用して、ダウンリンク接続を通してワイヤレス端末にデータを転送してもよい。
【０００８】
関連する観点にしたがって、ワイヤレス端末に関係する複数の接続のサポートを容易にする方法をここで説明する。方法は、第１の基地局に対する第１の接続を提供することを含んでもよい。また、方法は、第２の基地局から発せられた信号を受信することを含んでもよい。さらに、方法は、第２の基地局に対する第２の接続を確立することを含んでもよい。また、方法は、第２の接続の確立を示す通知を、第１の基地局に送ることを含んでもよい。
【０００９】
別の観点は、第１の基地局と第２の基地局とのうちから、優先される基地局を選択するための命令を保持するメモリを具備してもよいワイヤレス通信装置に関連する。さらに、プロセッサは、第１の基地局に関係する第１の接続と、第２の基地局に関係する第２の接続とを評価して、保持された命令に基づいて、優先される基地局を識別するリンク優先情報を送信し、優先される基地局を介してパケットを取得してもよい。
【００１０】
さらに別の観点は、新しく確立された接続に関係する通知を、１次基地局に提供するワイヤレス通信装置に関係する。ワイヤレス通信装置は、第１の基地局に対する第１の接続を提供する手段と；第２の基地局から発せられた信号を取得する手段と；第２の基地局に対する第２の接続を確立する手段と；第２の接続の確立を示す通知を、第１の基地局に送信する手段とを具備してもよい。
【００１１】
また別の観点は、第２の基地局から発せられた信号を取得するための記憶された機械実行可能命令と、第２の基地局に対する第２の接続を生成させるための記憶された機械実行可能命令と、第２の接続の確立を示す通知を、第１の基地局に送信するための記憶された機械実行可能命令とを有する機械読取可能媒体に関連する。
【００１２】
別の観点にしたがって、プロセッサをここで説明し、ここで、プロセッサは、第１の基地局に対する第１の接続と、第２の基地局に対する第２の接続とのうちから、優先される接続を選択するための命令を実行してもよい。また、プロセッサは、選択された、優先される接続に基づいて、リンク優先情報を送信するための命令を実行してもよい。さらに、プロセッサは、選択された、優先される接続を介してパケットを受信するための命令を実行してもよい。
【００１３】
他の観点にしたがって、ワイヤレス端末に対して送信されることになるパケットのルーティングを容易にする方法をここで説明する。方法は、受信されたリンク優先情報を評価することによって、基地局が優先される基地局であるか否かを決定することを含んでもよい。さらに、方法は、基地局が優先される基地局であるとき、パケットをワイヤレス端末に送信することを含んでもよい。
【００１４】
さらに別の観点は、ワイヤレス端末に向けてルーティングされ、コアネットワークから取得されたパケットを保持するメモリを具備してもよいワイヤレス通信装置に関連する。さらに、プロセッサは、１次基地局が優先される基地局であるか否かを決定し、１次基地局が優先される基地局でないとき、パケットのコピーを保持し、パケットを２次基地局に転送してもよい。
【００１５】
別の観点は、パケットをルーティングするワイヤレス通信装置に関連する。ワイヤレス通信装置は、基地局が１次基地局であるか否かを評価する手段と、基地局が優先される基地局であるか否かを決定する手段と、基地局が１次基地局であるか否かと、基地局が優先される基地局であるか否かとに基づいて、パケットをルーティングする手段とを具備してもよい。
【００１６】
また別の観点は、基地局が優先される基地局であるか否かを決定するための記憶された機械実行可能命令と、基地局が優先される基地局であるとして決定されるとき、パケットをワイヤレス端末に送信するための記憶された機械実行可能命令とを有する機械読取可能媒体に関連する。
【００１７】
別の観点にしたがって、プロセッサをここで説明し、ここで、プロセッサは、ワイヤレス端末からリンク優先情報を受信するための命令を実行してもよい。さらに、プロセッサは、リンク優先情報を評価して、基地局が優先される基地局であるか否かを決定するための命令を実行してもよい。その上、プロセッサは、基地局が優先される基地局であるとき、パケットを前記ワイヤレス端末に送信するための命令を実行してもよい。
【００１８】
これまでの、および関連する目的を達成するために、１つ以上の実施形態は、以下で完全に説明し、特に特許請求の範囲において示す特徴を含む。以下の説明と添付の図面は、１つ以上の実施形態のある例示的な観点を詳細に述べる。しかしながら、これらの観点は、さまざまな方法のうちのいくつかのものだけを示しており、ここで、さまざまな実施形態の原則が用いられてもよく、開示する実施形態は、このような観点とこれらの均等物のすべてを含むことを意図している。
【図面の簡単な説明】
【００１９】
【図１】図１は、ここで述べるさまざまな観点にしたがった、ワイヤレス通信システムの図である。
【図２】図２は、ワイヤレス端末によって、任意の接続される基地局に通信された優先に基づいて、パケットのルーティングを容易にするシステムの図である。
【図３】図３は、２次基地局とのリンクの確立および／または終了について、１次基地局に知らせるシステムの図である。
【図４】図４は、ワイヤレス端末に関係する２次接続の確立を容易にする方法の図である。
【図５】図５は、これを通してデータパケットを取得する接続を、１組の接続のうちから選択することを容易にする方法の図である。
【図６】図６は、ダウンリンクを通して、ワイヤレス端末に送信されることになるパケットのルーティングに関して、基地局の動作の制御を容易にする方法の図である。
【図７】図７は、さまざまな観点にしたがって実現される例示的な通信システム（例えば、セルラ通信ネットワーク）の図である。
【図８】図８は、さまざまな観点にしたがった例示的なエンドノード（例えば、移動体ノード）の図である。
【図９】図９は、ここで説明するさまざまな観点にしたがって実現される例示的なアクセスノードの図である。
【図１０】図１０は、１次基地局に対する新しく確立された接続に関係する通知を提供するシステムの図である。
【図１１】図１１は、パケットのルーティングを容易にするシステムの図である。
【詳細な説明】
【００２０】
ここで、同じ参照番号が全体にわたって同じ構成要素を指すのに使用されている、図面に対する参照とともに、さまざまな実施形態をここで説明する。以下の説明では、説明の目的で、１つ以上の実施形態の完全な理解をもたらすために、数々の特定の詳細を述べる。しかしながら、これらの特定の詳細なしで、このような実施形態を実施してもよいことは明らかであるかもしれない。他のインスタンスでは、１つ以上の実施形態の説明を容易にするために、よく知られた構造とデバイスを、ブロック図の形態で示した。
【００２１】
この出願において使用するように、用語“コンポーネント”と、“モジュール”と、“システム”と、これらに類するものとは、コンピュータ関連のエンティティ、すなわち、ハードウェアや、ファームウェアや、ハードウェアとソフトウェアの組み合わせや、ソフトウェアや、または、実行中のソフトウェアのいずれかを指すことが意図されている。例えば、コンポーネントは、これらに制限されないが、プロセッサ上で実行されているプロセス、プロセッサ、オブジェクト、実行ファイル、実行スレッド、プログラム、および／または、コンピュータであってもよい。例示として、コンピューティングデバイス上で実行されているアプリケーションと、コンピューティングデバイスとの両方が、コンポーネントであることができる。１つ以上のコンポーネントを、プロセスおよび／または実行スレッド内に常駐させることができ、コンポーネントは、１つのコンピュータ上に配置されてもよく、および／または、２つ以上のコンピュータの間で分散されてもよい。さらに、これらのコンポーネントは、そこに記憶されたさまざまなデータ構造を持っているさまざまなコンピュータ読取可能媒体から実行することができる。１つ以上のデータパケット（例えば、ローカルシステムにおける、分散システムにおける別のコンポーネントと、および／または、インターネットのようなネットワークを介して他のシステムと、信号により対話している１つのコンポーネントからのデータ）を持っている信号にしたがうような、ローカルおよび／またはリモートのプロセスを介して、コンポーネントが通信してもよい。
【００２２】
さらに、ワイヤレス端末に関連して、さまざまな実施形態をここで説明する。ワイヤレス端末は、ユーザに対して、音声および／またはデータ接続能力を提供するデバイスを指してもよい。ワイヤレス端末は、ラップトップコンピュータまたはデスクトップコンピュータのようなコンピューティングデバイスに接続されていてもよく、あるいは、ワイヤレス端末は、パーソナルデジタルアシスタント（ＰＤＡ）のような自己完結したデバイスであってもよい。ワイヤレス端末はまた、システムや、加入者ユニットや、加入者局や、移動局や、移動体や、遠隔局や、アクセスポイントや、遠隔端末や、アクセス端末や、ユーザ端末や、ユーザエージェントや、ユーザデバイスや、または、ユーザ装置と呼ばれることがある。ワイヤレス端末は、加入者局や、ワイヤレスデバイスや、セルラ電話機や、ＰＣＳ電話機や、コードレス電話機や、セッション開始プロトコル（ＳＩＰ）電話機や、ワイヤレスローカルループ（ＷＬＬ）局や、パーソナルデジタルアシスタント（ＰＤＡ）や、ワイヤレス接続能力を有するハンドヘルドデバイスや、または、ワイヤレスモデムに接続される、他の処理デバイスであってもよい。
【００２３】
基地局（例えば、アクセスポイント）は、無線インターフェース上で、１つ以上のセクタを通してワイヤレス端末と通信する、アクセスネットワーク中のデバイスを指してもよい。基地局は、受信無線インターフェースフレームをＩＰパケットに変換することによって、ＩＰネットワークを含んでいるかもしれないアクセスネットワークの残りのものと、ワイヤレス端末との間のルーターとして働いてもよい。基地局はまた、無線インターフェースのための属性の管理も調整する。
【００２４】
さらに、ここで説明するさまざまな観点または特徴は、標準のプログラミングおよび／またはエンジニアリング技術を使用して、方法、装置、または製品として実現されてもよい。ここで使用するような、用語“製品”は、任意のコンピュータ読取可能デバイスや、キャリアや、または、媒体からアクセス可能なコンピュータプログラムを包含することを意図している。例えば、コンピュータ読取可能媒体は、これらに制限されないが、磁気記憶デバイス（例えば、ハードディスク、フロッピー（登録商標）ディスク、磁気ストライプ等）と、光学ディスク（例えば、コンパクトディスク（ＣＤ）、デジタル汎用ディスク（ＤＶＤ）等）と、スマートカードと、フラッシュメモリデバイス（例えば、ＥＰＲＯＭ、カード、スティック、キードライブ等）とを含むことができる。さらに、ここで説明するさまざまな記憶媒体は、情報を記憶するための１つ以上のデバイス、および／または、他の機械読取可能媒体を表すことができる。用語“機械読取可能媒体”は、制限されることなく、命令および／またはデータを記憶し、保持し、および／または、搬送することができる、ワイヤレスチャネルと、さまざまな他の媒体とを含むことができる。
【００２５】
図１をここで参照して、ここで提示するさまざまな実施形態にしたがって、ワイヤレス通信システム１００を説明する。システム１００は、ワイヤレス通信信号を、ワイヤレス端末１０６から受信し、ワイヤレス端末１０６に対して送信し、リピート等する基地局（例えば、基地局Ａ１０２、基地局Ｂ１０４等）を含むことができる。さらに、システム１００が、基地局１０２−１０４に類似する任意の数の基地局、および／または、ワイヤレス端末１０６に類似する任意の数のワイヤレス端末を含んでもよいことが企図されている。当業者によって理解されることになるように、基地局１０２−１０４は、送信機チェーンと受信機チェーンとを含むことができ、これらのそれぞれは、次に、信号送信と信号受信とに関係する複数のコンポーネント（例えば、プロセッサ、変調器、マルチプレクサ、復調器、デマルチプレクサ、アンテナ等）を含むことができる。基地局１０２−１０４は、固定局および／または移動体であってもよい。ワイヤレス端末１０６は、例えば、セルラ電話機、スマート電話機、ラップトップ、ハンドヘルド通信デバイス、ハンドヘルドコンピューティングデバイス、衛星ラジオ、グローバルポジショニングシステム、ＰＤＡ、および／または、ワイヤレス通信システム１００を介しての通信のための、他の任意の適切なデバイスとすることができる。また、ワイヤレス端末１０６は、固定されたもの、または移動体であってもよい。
【００２６】
ワイヤレス端末１０６は、任意の所定の瞬間において、ダウンリンクおよび／またはアップリンクチャネル上で、基地局１０２−１０４（および／または異なる基地局）と通信してもよい。ダウンリンクは、基地局１０２−１０４からワイヤレス端末１０６に対する通信リンクを指し、アップリンクチャネルは、ワイヤレス端末１０６から、基地局１０２−１０４に対する通信リンクを指す。基地局１０２−１０４は、（示していない）他の基地局および／または任意の異なるデバイス（例えば、サーバ）とさらに通信してもよく、他の基地局および／または任意の異なるデバイスは、ワイヤレス端末１０６の認証と認可、課金、請求書発行等のような機能を実行してもよい。
【００２７】
システム１００は、ダウンリンクメッセージのルーティングを容易にするために、複数の基地局に対する接続を確立できるようにする。例えば、システム１００は、直交周波数分割多重化（ＯＦＤＭ）ベースのシステムであってもよいが、しかしながら、特許請求された主題は、そのようには制限されていない。システム１００は、インターネットプロトコル（ＩＰ）ルーティングされるシステムであってもよく、ワイヤレス端末１０６が、１つの基地局（例えば、基地局Ａ１０２）に接続されているとき、この基地局は、（示していない）コアネットワークに接続していてもよい。コアネットワークは、ワイヤレス端末１０６に対するパケットを、このような基地局（例えば、基地局Ａ１０２）にルーティングしてもよい。したがって、ある基地局を１次基地局として指定することは、このような基地局は、ワイヤレス端末１０６に向けられたパケットを、コアネットワークがルーティングするポイントであることに関連する。さらに、ワイヤレス端末１０６が、任意の付加的な基地局（例えば、基地局Ｂ１０４）に接続するとき、ワイヤレス端末１０６によって変更されない限り、基地局Ａ１０２が１次基地局であり続けてもよい。１次基地局（例えば、基地局Ａ１０２）以外の、ワイヤレス端末１０６に接続されている基地局（例えば、基地局Ｂ１０４）を、２次基地局として呼んでもよい。
【００２８】
システム１００は、２つ以上の基地局１０２−１０４からの、ワイヤレス端末１０６に対する送信を可能にすることによって、マクロダイバーシティを容易にしており；このような送信は同時である必要はない。ワイヤレス端末１０６は、接続確立器１０８と、接続通知器１１０とを含んでもよい。接続確立器１０８は、１つ以上の基地局（例えば、基地局１０２−１０４）との接続を確立してもよく、および／または、終了させてもよい。１つの例にしたがうと、ワイヤレス端末１０６は、第１の基地局に接続されていてもよく、接続確立器１０８が、第２の基地局との接続をセットアップしてもよい；しかしながら、ワイヤレス端末１０６は、任意の数の基地局に接続されていてもよく、接続確立器１０８によって、任意の数の付加的な接続を確立してもよく、および／または、終了させてもよいことが企図されているので、特許請求された主題は、このようには制限されていない。接続通知器１１０は、ワイヤレス端末１０６と任意の異なる基地局（例えば、基地局Ｂ１０４）との間の接続の確立および／または除去に関する情報を、１次基地局（例えば、基地局Ａ１０２）に提供してもよく；このような情報は、例えば、２次リンク通知メッセージ、接続ドロップ通知メッセージ等であってもよい。
【００２９】
例として、ワイヤレス端末１０６は、基地局Ａ１０２に接続されていてもよい。ワイヤレス端末１０６は、基地局Ａ１０２に接続されたままでいる間に、（例えば、受信ビーコン信号またはパイロット信号の信号強度、信号対雑音比（ＳＮＲ）、信号対干渉比（ＳＩＲ）、基地局負荷、トラフィックのタイプ等の決定に基づいて、）基地局Ｂ１０４との接続をセットアップすることを決めてもよい。例えば、ワイヤレス端末１０６によって、迅速化されたハンドオフを利用して、基地局Ｂ１０４と接続してもよい；しかしながら、特許請求された主題は、このようには制限されていない。この例にしたがうと、ワイヤレス端末１０６は、基地局Ａ１０２との予め存在している接続を介して、ハンドオフ要求を基地局Ｂ１０４に送信してもよく、また、基地局Ａ１０２との接続を通して、基地局Ｂ１０４からのハンドオフ応答を受信してもよい。ハンドオフ応答は、例えば、割り当てられたアクセススロット、識別子、タイミング関連のデータ等のような情報を含んでもよく、（例えば、物理層アクセスを実施することによって）基地局Ｂ１０４との接続を確立することに関係して、ワイヤレス端末１０６によって、このような情報を利用してもよい。
【００３０】
接続確立器１０８が、２次基地局Ｂ１０４との接続をセットアップするとき、ワイヤレス端末１０６の接続通知器１１０は、ワイヤレス端末１０６と２次基地局Ｂ１０４との間の接続に関して、１次基地局Ａ１０２に通知してもよい。接続通知器１１０は、ワイヤレス端末１０６が（例えば、２次基地局１０４との）新しい接続を有することを示すとともに、２次基地局Ｂ１０４を識別する、２次リンク通知メッセージを、基地局Ａ１０２に提供してもよい。例えば、２次基地局Ｂ１０４の識別（例えば、少なくとも部分的な識別子）は、基地局Ｂ１０４から発せられたビーコン信号から取得してもよい（例えば、２次リンク通知メッセージの一部として含まれてもよい基地局Ｂ１０４のビーコンから、いくつかの識別ビットを受け取る）。基地局Ａ１０２は、近隣発見プロトコル（例えば、近隣リスト）を利用して、このような識別ビットに対応する基地局の識別を解決してもよい。ある例にしたがうと、識別ビット（例えば、１１ビット）に基づいて、基地局Ｂ１０４に関係するＩＰアドレスを、基地局Ａ１０２が決定して、パケットを転送できるようにしてもよい。さらに、または、代わりに、基地局Ａ１０２は、直接、および／または、さらなる情報を取得できるように基地局Ｂ１０４にコンタクトしてのいずれかで、この識別ビットから導出されたＩＰアドレスを使用してもよい。さらなる例示にしたがうと、基地局Ｂ１０４とワイヤレス端末１０６との間で接続を確立すると、基地局Ｂ１０４は、メッセージ中で、完全な識別子をワイヤレス端末１０６に送ってもよく、これを、ワイヤレス端末１０６によって、基地局Ａ１０２に伝送して、パケットを転送できるようにしてもよい。
【００３１】
例示にしたがうと、１次基地局Ａ１０２は、コアネットワークからパケットを受信してもよく、これらをワイヤレス端末１０６に転送してもよい。この後に、１次基地局Ａ１０２は、ワイヤレス端末１０６と２次基地局Ｂ１０４との間で形成された接続を示す通知を、接続通知器１１０から取得してもよい。１次基地局Ａ１０２は、この後に、コアネットワークから受信されたパケットを、ワイヤレス端末１０６に対して直接、転送し続けることを決めてもよい。別の例にしたがうと、１次基地局Ａ１０２は、受信パケットを、バイキャストしてもよい。パケットをバイキャストするとき、１次基地局Ａ１０２は、コアネットワークから受信されたパケットのコピーを、そのキューに対して保持してもよく、パケットを複製して、この複製パケットを２次基地局Ｂ１０４に転送してもよい。
【００３２】
ここで、図２を参照して、任意の接続されている基地局に対して、ワイヤレス端末によって通信された優先に基づいて、パケットのルーティングを容易にするシステム２００を説明する。システム２００は、１次基地局であってもよい基地局Ａ２０２と、基地局Ｂ２０４とを含む；しかしながら、任意の数の付加的な基地局がシステム２００中に含まれてもよい。さらに、ワイヤレス端末２０６が、システム２００中に含まれる。ワイヤレス端末２０６は、接続確立器２０８と、接続通知器２１０とを含んでもよく、これらを利用して、ワイヤレス端末２０６と任意の基地局（例えば、基地局Ｂ２０４）との間の接続を形成させ、および／または、終了させてもよく、この後に、接続の確立および／または終了に関連する通知を、ワイヤレス端末２０６に関係する１次基地局（例えば、基地局Ａ２０２）に提供する。システム２００はまた、ワイヤレス端末２０６に向けられたパケットを、ワイヤレス端末２０６に関係する１次基地局（例えば、基地局Ａ２０２）に送信してもよいネットワーク２１２（例えば、コアネットワーク）を含んでもよい。
【００３３】
ワイヤレス端末２０６はまた、接続評価器２１４、優先インジケータ２１６、および／または、１次変更器２１８を含んでもよい。ワイヤレス端末２０６は、接続評価器２１４を利用することによって、それぞれの基地局接続を解析してもよい。例えば、接続評価器２１４は、特定の時間において、基地局Ａ２０２との接続が、基地局Ｂ２０４との接続よりも優れていることを決定してもよく、他方、異なる時間において、基地局Ｂ２０４との接続が、基地局Ａ２０２との接続に比較して、より良いことを決定してもよい。接続評価器２１４は、信号強度、ＳＮＲ、ＳＩＲ、基地局負荷、データタイプ等のような接続に関連する要因を評価して、優先されるリンクを選択してもよい。接続評価器２１４は、任意の予め定められたおよび／または動的に変化する時間間隔（例えば、５ｍｓ）において、接続を繰り返し解析してもよいことが企図されている。
【００３４】
接続評価器２１４で実施された解析に基づいて、優先されるリンクが選択されてもよい。優先インジケータ２１６が、シグナリングを実行して、接続されている基地局２０２−２０４に対する優先に関係する情報を提供してもよい。例えば、優先インジケータ２１６は、専用制御チャネル（ＤＣＣＨ）を利用して、接続されている基地局２０２−２０４のそれぞれに対して、優先リンク情報を送ってもよい。ワイヤレス端末２０６が１つより多い基地局に接続されているとき、デュアルリンクモードを利用してもよい。例えば、基地局２０２−２０４のそれぞれと、制御チャネルをセットアップしてもよい（例えば、基地局Ａ２０２に対するアップリンクのために、ある制御チャネルを初期化し、基地局Ｂ２０４に対するアップリンクのために、異なる制御チャネルを初期化する）。例示として、優先インジケータ２１６は、接続されている基地局２０２−２０４のそれぞれに対応する制御チャネル上に特定のビットを設定して、基地局２０２−２０４が優先される基地局であるか否かを、基地局２０２−２０４に通知してもよい。例えば、優先される基地局は、（例えば、このような基地局が１次基地局および／または２次基地局であるか否かに関わらず）特定の時間において、ワイヤレス端末２０６に対してダウンリンクを介して送信するように、ワイヤレス端末２０６によって選択された基地局であってもよい。例示にしたがうと、優先インジケータ２１６は、高速時間スケールで（例えば、ミリ秒のオーダーで）、優先される基地局を選択してもよい。
【００３５】
ワイヤレス端末２０６はまた、１次基地局を選択するのに用いてもよい１次変更器２１８を含んでもよい。例えば、基地局Ａ２０２が、１次基地局であってもよく、これに対して、ネットワークが、特定の時間において、ワイヤレス端末２０６に送信されることになるパケットを転送する；この後に、１次変更器２１８を利用して、基地局Ｂ２０４を１次基地局として選択するのを容易にしてもよい。１次変更器２１８は、ワイヤレスモジュール端末２０６内の移動体ＩＰクライアントであってもよい。ネットワーク２１２中の、このような移動体ＩＰクライアントと外部エージェントとの間のプロトコルの交換は、コアネットワーク中に位置しているホームエージェントとともに、１次基地局を変更するのを容易にしてもよく、このことは、ワイヤレス端末２０６に関係するルーティングを変更してもよい。ここでは、１つの１次基地局に関して説明したが、任意の数の１次基地局が同時に用いられてもよいことが企図されている。
【００３６】
以下のシナリオは例を説明するが、特許請求された主題はこの例に制限されない。特定の時間において、ワイヤレス端末２０６は、１つの基地局、基地局Ａ２０２に接続されていてもよい。この後に、ワイヤレス端末２０６は、接続確立器２０８を利用することによって、基地局Ｂ２０４との接続を生成させてもよい。接続通知器２１０は、基地局Ｂ２０４との新しい接続を記述する２次リンク通知メッセージを、基地局Ａ２０２に送ってもよい；したがって、基地局Ａ２０２は、２つの基地局が、潜在的にワイヤレス端末２０６を担当できることに気付いている。さらに、（例えば、基地局Ａ２０２がもはや１次基地局でない場合には、１次変更器２１８は、基地局Ｂ２０４中の外部エージェントとコアネットワーク中のホームエージェントとの組み合わせとともに動作して、プロトコルメカニズムを通して、基地局Ａ２０２に明示的に通知してもよいので、）１次変更器２１８から情報が何も取得されなかったとして仮定すると、基地局Ａ２０２は、基地局Ａ２０２が１次基地局であることと、基地局Ｂ２０４が２次基地局であることとを認識する。
【００３７】
上記のシナリオにしたがうと、ワイヤレス端末２０６はまた、デュアルリンクモードに移行するように、接続されている基地局２０２−２０４を促してもよく；以前は、基地局Ａ２０２は、シングルリンクモードを利用していたかもしれない。シングルリンクモードとデュアルリンクモードは、専用制御チャネルに関連する。ワイヤレス端末２０６が１つの基地局に接続されている（例えば、基地局Ａ２０２にリンクされている）とき、シングルリンクモードを用いてもよい。ワイヤレス端末２０６が２つ以上の基地局に接続されている（例えば、基地局Ａ２０２と基地局Ｂ２０４とにリンクされている）とき、デュアルリンクモードを用いてもよい。さらに、接続評価器２１４が、ワイヤレス端末２０６との接続のそれぞれを解析してもよく、優先インジケータ２１６が、それぞれの基地局２０２−２０４に対する接続の解析に基づいて、受信基地局が優先されるか否かを示すデータを送信してもよい。ワイヤレス端末２０６（および／または、接続評価器２１４）は、それぞれのダウンリンク送信に関連する基地局に関係する、信号対雑音比を測定してもよい。これらの測定された値は、ワイヤレス端末２０６からのアップリンク上の専用制御チャネルにおいて、対応する基地局に提供し戻されてもよい。ある例にしたがうと、シングルリンクモードでは、専用制御チャネル上で５ビットを利用して、ダウンリンク送信に関係する信号対雑音比を示してもよい。さらなる例示にしたがうと、デュアルリンクモードを利用するとき、ワイヤレス端末２０６は、信号対雑音関連のデータのために、専用制御チャネル上の４ビットを利用してもよく、５番目のビットを用いて、優先インジケータ２１６によって選択された（例えば、設定された、設定されていない等の）ようにリンク優先を示してもよい。別の例にしたがうと、専用制御チャネルは、（例えば、接続の数に関わらず）実質上すべての時間において、リンク優先インジケータを搬送してもよく、したがって、シングルリンクモードとデュアルリンクモードとの間のスイッチングを減少させてもよい。
【００３８】
基地局Ａ２０２と基地局Ｂ２０４は、それぞれの優先評価器（例えば、優先評価器２２０と優先評価器２２２）をそれぞれ含んでもよい。優先評価器２２０−２２２は、基地局２０２−２０４のそれぞれに関連するアップリンク制御チャネル（例えば、ＤＣＣＨ）を解釈してもよい（例えば、優先評価器２２０は、基地局Ａ２０２に関係する制御チャネルを監視してもよく、優先評価器２２２は、基地局Ｂ２０４に関係する制御チャネルを監視してもよい）。例えば、優先評価器２２０−２２２は、デュアルリンクモードの情況で、制御チャネルを通して取得された情報を解釈してもよく、このことは、優先評価器２２０−２２２が、（例えば、優先インジケータ２１６によって設定された）制御チャネルのそれぞれに対応する特定のビットを監視することを意味し、特定のビットは、（例えば、任意の周期性で取得されてもよい）所定の時間において、特定の基地局が優先されるか否かを示す。対照的に、シングルリンクモード中のとき、基地局Ａ２０２および／または優先評価器２２０は、制御チャネルに関係するこのようなビットを監視するのをスキップしてもよい。さらなる例示にしたがうと、リンク優先インジケータが実質的にすべての時間において利用される場合、複数の基地局にではなく、１つの基地局にワイヤレス端末２０６が接続されていることに優先評価器２２０が気付いているとき、優先評価器２２０は監視するのを止めてもよい。
【００３９】
基地局Ａ２０２と基地局Ｂ２０４は、対応する転送器（例えば、基地局Ａ２０２のための転送器２２４と、基地局Ｂ２０４のための転送器２２６）、および／または、ダウンリンク送信機（例えば、基地局Ａ２０２のためのダウンリンク送信機２２８と、基地局Ｂ２０４のためのダウンリンク送信機２３０）をさらに含んでもよい。転送器２２４−２２６と、ダウンリンク送信機２２８−２３０は、ネットワーク２１２から取得されたパケットをワイヤレス端末２０６にルーティングできるようにしてもよい。転送器２２４−２２６は、基地局２０２−２０４の間で（１次基地局から２次基地局に対して）パケットを転送してもよく；したがって、例えば、転送器２２４は、基地局Ａ２０２から基地局Ｂ２０４にパケットを転送してもよい。１つ以上の観点にしたがうと、対応する基地局２０２−２０４が１次基地局であるときに、転送器２２４−２２６はパケットを送信してもよい。ダウンリンク送信機２２８−２３０は、基地局２０２−２０４のそれぞれに対応するダウンリンク上で、ワイヤレス端末２０６にパケットを送信する；したがって、優先評価器２２０−２２２に関連して利用されるダウンリンク送信機２２８−２３０は、ワイヤレス端末２０６によって（例えば、優先インジケータ２１６を介して）示された優先に基づいて、ワイヤレス端末２０６に対してバイキャスト送信できるようにしてもよい。
【００４０】
例として、基地局Ａ２０２が１次基地局であってもよく、かつ、基地局Ａ２０２が優先される基地局であることを優先評価器２２０が決定してもよい。したがって、転送器２２４は、（基地局Ａ２０２が１次基地局であるので、ネットワーク２１２から取得された）パケットを、基地局Ｂ２０４（とともに、（示していない）任意の異なる２次基地局）に転送するのを止めてもよい。しかしながら、転送器２２４は、このような転送を続けて、優先評価器２２０による誤解釈の可能性を減少させてもよい。ある例にしたがうと、転送器２２４は、例えば、サービス品質、トラフィック、フロー時間、バッファタイプ等のようないくつかの基準に基づいて、このようなケースにおいて、パケットを転送するか否かを決定してもよい。さらに、ダウンリンク送信機２２８は、基地局Ａ２０２からワイヤレス端末２０６に対してパケットを送ってもよい。
【００４１】
さらに、例えば、基地局Ａ２０２が１次基地局であってもよく、かつ、基地局Ａ２０２が優先される基地局でないことを優先評価器２２０が決定してもよい。このようなケースでは、転送器２２４は、２次基地局（例えば、接続通知器２１０を介して取得されたデータから知られるように、基地局Ｂ２０４）に対してパケットをルーティングする。また、転送器２２４は、基地局Ａ２０２においてパケットのコピーを保持できてもよい。
【００４２】
別の例示にしたがうと、優先インジケータ２１６は、基地局Ｂ２０４が優先されることを基地局Ｂ２０４に通知してもよい（そして、したがって、基地局Ａ２０２が優先されないことを暗黙的に指示する）；さらに、基地局Ａ２０２は１次基地局であってもよい。したがって、転送器２２４を介して基地局Ａ２０２から取得された、基地局Ｂ２０４に関係するキュー中のパケットは、ダウンリンク送信機２３０を用いることによって、ワイヤレス端末２０６に送信されてもよい。さらに、優先評価器２２２が、後の時間において、基地局Ｂ２０４が優先される基地局でないことを決定する場合、ダウンリンク送信機２３０は、ワイヤレス端末２０６に対するダウンリンク送信を終了させてもよい。
【００４３】
図３を参照して、２次基地局とのリンクの確立および／または終了について、１次基地局に通知するシステム３００を説明する。システム３００は、任意の数の基地局（例えば、基地局Ａ３０２、基地局Ｂ３０４、基地局Ｃ３０６等）と、ワイヤレス端末３０８のような任意の数のワイヤレス端末とを含んでもよい。ワイヤレス端末３０８は、任意の数の１次基地局、および／または、任意の数の２次基地局に接続されていてもよいことを理解すべきである。３つの基地局３０２−３０６に接続されているとして示すが、ワイヤレス端末３０８は、以下の例において下に述べるように、より多くの、または、より少ない基地局に接続されていてもよいことを理解すべきである。ワイヤレス端末３０８はまた、上に述べたように、接続確立器３１０、接続通知器３１２、および／または１次変更器３１４を含んでもよい。
【００４４】
ある例にしたがうと、ワイヤレス端末３０８は、基地局Ａ３０２に接続されていてもよい。接続確立器３１０は、基地局Ｂ３０４とのリンクを形成させるのを容易にしてもよい。さらに、接続通知器３１２は、基地局Ｂ３０４との確立された新しいリンクに関する指示を、基地局Ａ３０２に送信してもよい。この後に、接続確立器３１０は、基地局Ｂ３０４との接続を終了させてもよく、対応する通知（例えば、接続ドロップ通知メッセージ）が、接続通知器３１２を介して、基地局Ａ３０２に提供されてもよい。通知は、基地局Ｂ３０４との接続が終了したことを明示的に示してもよい。代わりに、通知は、（例えば、基地局Ｂ３０４との接続が途絶えたことを暗黙的に示す、）ワイヤレス端末３０８に関係するすべての接続のリストを含んでもよい。このような通知を受け取ると、基地局Ａ３０２は、シングルリンクモードに戻ってもよい。後の時間において、接続確立器３１０は、基地局Ｃ３０６とのリンクを生成させてもよく、対応する通知が、接続変更器３１２で基地局Ａ３０２に提供されてもよい。
【００４５】
別の例示にしたがうと、ワイヤレス端末３０８は、基地局Ａ３０２とのリンクと、基地局Ｂ３０４とのリンクとを持っていてもよく、基地局Ａ３０２が１次基地局であってもよい。基地局Ａ３０２が１次であるので、２次基地局Ｂ３０４に対するリンクの存在を示す通知が、以前に基地局Ａ３０２に提供されている。対照的に、基地局Ｂ３０４は、ワイヤレス端末３０８と、基地局Ａ３０２との間のリンクを知っていてもよく、または知らなくてもよい。ワイヤレス端末３０８は、後続して、基地局Ｃ３０６を検出して、一方では、基地局Ｂ３０４との接続を途絶えさせながら、基地局Ｃ３０６との接続を確立することを決定してもよく、これは、接続確立器３１０によって実施されてもよい。応答して、接続通知器３１２が、基地局Ｃ３０６との接続が確立され、基地局Ｂ３０４との接続が途絶えたことを通知するメッセージを、基地局Ａ３０２に送信してもよい。
【００４６】
さらなる例示として、ワイヤレス端末３０８は、基地局Ａ３０２と基地局Ｂ３０４とに接続されていてもよく、基地局Ａ３０２は、１次基地局であり、２次基地局（例えば、基地局Ｂ３０４）に気付いている。１次変更器３１４は、１次基地局が、基地局Ａ３０２に代わって、基地局Ｂ３０４になるようにスイッチできるようにする情報を送信してもよい。この変更の後、ワイヤレス端末３０８に向けられた、コアネットワークからのパケットは、基地局Ａ３０２ではなく、基地局Ｂ３０４にルーティングされてもよい。接続通知器３１２はまた、基地局Ｂ３０４は、以前２次基地局であり、１次変更器３１４によって実施されたスイッチの前には、ひょっとすると１次基地局の存在に気付いていなかったかもしれないので、基地局Ａ３０２が２次基地局であることを指定する表示を、基地局Ｂ３０４に提供してもよい。したがって、１次基地局は、２次基地局に気付いており、他方、２次基地局は１次基地局に気付いていないかもしれない。（しかしながら、特許請求の範囲の主題が、これに対して制限されていない例にしたがうと、すべての接続される基地局が、ワイヤレス端末３０８の全体の接続状態に気付いていてもよく、したがって、ワイヤレス端末３０８は、１次基地局が変更されるときに、２次基地局の表示を提供する必要がないだろう。）さらに、ワイヤレス端末３０８が、基地局Ａ３０２と、基地局Ｂ３０４と、基地局Ｃ３０６とに接続されており、１次基地局を、基地局Ａ３０２から基地局Ｂ３０４に変更した場合、接続通知器３１２は、２次基地局Ａ３０２と２次基地局Ｃ３０６との存在に関して、基地局Ｂ３０４に対して警告する；しかしながら、２次基地局Ａ３０２と、２次基地局Ｃ３０６とに対しては、警告を行う必要はない。
【００４７】
別の例にしたがうと、ワイヤレス端末３０８は、１次基地局Ａ３０２と、２次基地局Ｂ３０４とに接続されていてもよい。接続確立器３１０は、一方では、基地局Ａ３０２と基地局Ｂ３０４とに対するリンクを保持しながら、基地局Ｃ３０６とのリンクを形成させてもよい。接続通知器３１２は、次に、新しい接続に関する通知を基地局Ａ３０２に送信してもよい；したがって、基地局Ｂ３０４と基地局Ｃ３０６は、ワイヤレス端末３０８に対する異なる接続に気付いていないかもしれない。
【００４８】
図４−６を参照して、複数の接続をサポートすること、および／または、複数の接続を利用して、ダウンリンク転送用のパケットを、ワイヤレス端末にルーティングすることに関連する方法を説明する。一方では、説明を簡潔にする目的で、一連の動作として方法を示し、説明するが、方法は、動作の順序によって制限されておらず、１つ以上の実施形態にしたがうと、いくつかの動作は、ここで示し、説明するものとは異なる順序で起ってもよく、および／または他の動作と同時に起ってもよいことを理解し、認識すべきである。例えば、代わりに、状態図でのような、一連の相互に関連した状態またはイベントとして、方法を表すことができることを当業者は理解し、認識するだろう。さらに、１つ以上の実施形態にしたがうと、方法を実現するために、すべての例示した動作が要求されなくてもよい。
【００４９】
図４を参照して、ワイヤレス端末に関係する２次接続の確立を容易にする方法４００を説明する。４０２において、第１の基地局に対する第１の接続を提供してもよい。例えば、１つの基地局に対する１つの接続を提供する場合、このような基地局は、この指示が変更されない限り、さらなる接続を加える際に、１次基地局であるとして考えられてもよい。任意の数の基地局に対する任意の数の接続を提供してもよいことを理解すべきである。４０４において、第２の基地局から発せられた信号が受信されてもよい。例として、信号はビーコンであってもよい。この信号を評価して、第２の基地局に対する接続を進めるか否かを決定してもよい。したがって、受信信号（例えば、ビーコン、パイロット等）の信号強度、信号対雑音比（ＳＮＲ）、信号対干渉比（ＳＩＲ）、基地局負荷、トラフィックのタイプ、および、これらに類するものの解析を実施して、接続を取得するか否かを選択してもよい。
【００５０】
４０６において、第２の基地局に対する第２の接続を確立してもよい。例えば、迅速化されたハンドオフを用いて、第２の接続を取得してもよい。さらに、第２の接続の確立に後続して、第１の接続が存在し続けてもよく；したがって、ワイヤレス端末は、同時に複数の基地局に接続されてもよい。任意の数の第２の接続が同時に確立されてもよいことが企図されている。さらに、または、代わりに、（例えば、前述の信号解析に基づいて、）異なる基地局に対する、異なる接続を終了させてもよい。４０８において、第２の接続の確立を示す通知を、第１の基地局に送ってもよい。通知を１次基地局に送ってもよいことが企図されている。例えば、通知が２次リンク通知メッセージであってもよい。さらに、通知は、新しい接続が確立されたことを提供してもよく、および／または、第２の基地局の識別を含んでいてもよい。例えば、第２の基地局の識別が、受信信号から（例えば、ビーコンから導出されて）取得されてもよい。別の例示にしたがうと、第２の基地局の識別は、第２の基地局からのメッセージ中で受信された完全な識別子であってもよい。さらに、異なる基地局との異なる接続を終了させる際に、接続ドロップ通知メッセージを送信してもよい。
【００５１】
図５に進んで、１組の接続のうちから、これを通してデータパケットを取得する接続を選択することを容易にする方法５００を説明する。５０２において、第１の基地局に対する第１の接続と、第２の基地局に対する第２の接続とを提供してもよい。例えば、任意の数の基地局に対する任意の数の接続が存在してもよい。さらに、基地局に対する接続は、追加されてもよく、および／または、除去されてもよい。５０４において、第１の接続と第２の接続とを評価してもよい。例えば、接続のそれぞれに対応する信号強度を解析してもよい。付加的な例にしたがうと、それぞれの接続に関して、信号対雑音比（ＳＮＲ）、信号対干渉比（ＳＩＲ）、基地局負荷、トラフィックのタイプ等を考察してもよい。
【００５２】
５０６において、リンク優先情報を送信して、評価に基づいて、接続のうちの１つを選択してもよい。例示にしたがうと、ある特定の時間において、第１の基地局に対する第１の接続は、第２の基地局に対する第２の接続に比較して、より高い信号強度を持つとして決定されてもよい；したがって、第１の基地局に関係するダウンリンクを通してデータを取得することに関連する、リンク優先情報を送ってもよい。リンク優先情報は、設定された、または、設定されていないビットであってもよい。さらに、専用制御チャネル（ＤＣＣＨ）を通して、リンク優先情報を送ってもよい。さらに、基地局に対応するそれぞれのアップリンクを通して、リンク優先情報をそれぞれの基地局に送信してもよい。情報が送信される特定の基地局が優先されるか、または、優先されないかを、リンク優先情報が示してもよい。５０８において、選択された接続を介して、パケットを受信してもよい。任意の数のパケットが取得されてもよいことが企図されている。さらに、図示していないが、方法５００は、５０４に戻って、それを通してパケットが受信されるかもしれない接続を更新してもよい。例えば、このような更新は、（例えば、予め設定された期間、動的に調整される期間等で）定期的に生じてもよい。
【００５３】
ここで、図６に進んで、ダウンリンクを通して、ワイヤレス端末に送信されることになるパケットのルーティングに関して、基地局の動作の制御を容易にする方法６００を説明する。６０２において、基地局が１次基地局であるか否かについて、決定を実施してもよい。１次基地局は、ワイヤレス端末に向けてルーティングされるデータを、コアネットワークから取得してもよい。代わりに、基地局が２次基地局であるか否か、そして、したがって、１次基地局でないか否かを識別してもよい。基地局が１次基地局である場合、方法６００は６０４に進む。６０４において、基地局が優先される基地局であるか否かが決定される。受信されたリンク優先情報を評価して、このような決定を実施してもよい。例えば、リンク優先ビットに関して、基地局に関係する専用制御チャネルを監視してもよい。この例にしたがうと、リンク優先ビットが設定されているとき、受信基地局は優先されており、そして、リンク優先ビットが設定されていないとき、受信基地局は優先される基地局ではない。基地局が優先される基地局であるとして決定される場合、方法６００は、６０６に続く。６０６において、２次基地局に対してパケットの転送を続けるか否かについて決定を行ってもよい。任意の数の２次基地局が、ワイヤレス端末に関係してもよい。パケットの転送を続ける決定は、例えば、サービス品質、トラフィック、フロー時間、バッファタイプ、および、これらに類するものに関連する基準に基づいていてもよい。したがって、基地局は、２次基地局に対して、パケットの転送を続けてもよく、および／または、止めてもよい。６０８において、パケットをワイヤレス端末に送信してもよい。したがって、１次基地局と、優先される基地局との両方である基地局が、パケットをワイヤレス端末に送信してもよく、２次基地局に対するパケットの転送を続けるか、および／または、中止するかを決定してもよい。
【００５４】
６０２において、基地局が、１次基地局であるとして決定され、６０４において、優先される基地局でないとして決定された場合、次に方法６００は、６１０に続く。６１０において、パケットのコピーを保持してもよい。例えば、パケットは、コアネットワークから取得され、コピーされてもよい。６１２において、２次基地局に対してパケットを転送してもよい。したがって、ワイヤレス端末との接続を持つとして知られている異なる基地局に対して、パケットを転送してもよい。
【００５５】
６０２において、基地局が１次基地局でないとして決定された場合、次に方法６００は、６１４に続く。６１４において、基地局が優先される基地局であるか否かについての決定が実施されてもよい。基地局が優先される基地局でない場合、次に方法６００は終了する。しかしながら、基地局が優先される基地局である場合、方法は６１６に進む。６１６において、１次基地局から転送されたパケットを、ワイヤレス端末に送信してもよい。したがって、１次基地局が優先される基地局でないとき、（例えば６１２において説明したように）２次基地局に対してパケットを転送してもよく、優先されるとして決定された２次基地局のうちの１つが、ワイヤレス端末に対してパケットを送信してもよい。
【００５６】
ここで説明する１つ以上の観点にしたがうと、１組の基地局のうちから、１次の、および／または、優先される基地局を選択することと、コアネットワークから取得されたパケットを、２次基地局に転送するか否かを評価することとに関して、推論を行うことができることが理解されるだろう。ここで使用するように、用語“推論する”または“推論”は、一般的に、イベントおよび／またはデータを介して取り込まれるような１組の観察から、システム、環境、および／またはユーザの状態についての理解または推論のプロセスを指す。推論を用いて、例えば、特定の情況または動作を識別することができ、または、状態にわたっての確率分布を生成させることができる。推論は、確率的−すなわち、データとイベントとの考察に基づいた、対象とする状態にわたっての確率分布の計算とすることができる。推論はまた、１組のイベントおよび／またはデータのうちから、より高いレベルのイベントを構成するために用いられる技術を指すこともある。このような推論は、１組の観察されたイベントおよび／または記憶されたイベントデータと、近い時間的近似性でイベントが相互に関連しているか否かと、イベントおよびデータが１つまたはいくつかのイベントおよびデータ源から由来するか否かとから、新しいイベントまたは動作の構築をもたらす。
【００５７】
１つの例にしたがうと、上に提示した１つ以上の方法は、１組の基地局のうちから、１次基地局および／または優先される基地局を選択することに関して、推論を行うことを含むことができる。さらなる例示として、１次の、優先される基地局から、２次基地局に対して、パケットを転送するべきであるか否かについて、推論を行ってもよい。以上の例は、本質的に例示的なものであり、ここで説明したさまざまな実施形態および／または方法に関連して、行うことができる推論の数やこのような推論を行ってもよい方法を制限することを意図していないことが理解されるだろう。
【００５８】
図７を参照して、さまざまな観点にしたがって実現される例示的な通信システム７００（例えば、セルラ通信ネットワーク）を説明し、これは、通信リンクによって相互接続される複数のノードを含む。例示的な通信システム７００中のノードは、通信プロトコル（例えば、インターネットプロトコル（ＩＰ））に基づいた信号（例えば、メッセージ）を使用して、情報を交換する。例えば、ワイヤ、ファイバー光学ケーブル、および／または、ワイヤレス通信技術を使用して、システム７００の通信リンクを実現してもよい。例示的な通信システム７００は、複数のエンドノード７４４、７４６、７４４’、７４６’、７４４’’、７４６’’を含み、これらは、複数のアクセスノード７４０、７４０’、７４０’’を介して通信システム７００にアクセスする。エンドノード７４４、７４６、７４４’、７４６’、７４４’’、７４６’’は、例えば、ワイヤレス通信デバイスまたは端末であってもよく、アクセスノード７４０、７４０’、７４０’’は、例えば、ワイヤレスアクセスルータまたは基地局であってもよい。例示的な通信システム７００はまた、相互接続性を提供するために、あるいは、特定のサービスまたは機能を提供するために使用される、いくつかの他のノード７０４、７０６、７０９、７１０、７１２を含む。特に、例示的な通信システム７００は、エンドノードに関連する状態の転送と記憶をサポートするのに使用されるサーバ７０４を含む。サーバノード７０４は、ＡＡＡサーバ、コンテキスト転送サーバ、ＡＡＡサーバ機能とコンテキスト転送サーバ機能との両方を含むサーバであってもよい。
【００５９】
例示的な通信システム７００は、サーバ７０４と、ノード７０６と、ホームエージェントノード７０９とを含むネットワーク７０２を図示し、これらは、それぞれ対応するネットワークリンク７０５、７０７、７０８によって、中間のネットワークノード７１０に接続されている。ネットワーク７０２中の中間のネットワークノード７１０もまた、ネットワークリンク７１１を介して、ネットワーク７０２の視野の外部にあるネットワークノードに対する相互接続性を提供する。ネットワークリンク７１１は、別の中間のネットワークノード７１２に接続されており、これは、それぞれネットワークリンク７４１、７４１’、７４１’’を介して、複数のアクセスノード７４０、７４０’、７４０’’に対するさらなる接続性を提供する。
【００６０】
それぞれのアクセスノード７４０、７４０’、７４０’’は、それぞれ対応するアクセスリンク（７４５，７４７）、（７４５’，７４７’）、（７４５’’，７４７’’）を介して、それぞれ複数のＮエンドノード（７４４，７４６）、（７４４’，７４６’）、（７４４’’，７４６’’）に対する接続性を提供しているとして図示している。例示的な通信システム７００では、それぞれのアクセスノード７４０、７４０’、７４０’’は、ワイヤレス技術（例えば、ワイヤレスアクセスリンク）を使用して、アクセスを提供するとして図示している。それぞれのアクセスノード７４０、７４０’、７４０’’の無線カバレッジエリア（例えば、通信セル７４８、７４８’、７４８’’）は、それぞれ、対応するアクセスノードを取り囲む円として図示している。
【００６１】
例示的な通信システム７００を、ここで述べるさまざまな観点の説明のための基礎として提示する。さらに、さまざまな異なるネットワークトポロジが、特許請求された主題の範囲内に入ることが意図されており、ネットワークノードの数およびタイプと、アクセスノードの数およびタイプと、エンドノードの数およびタイプと、サーバと他のエージェントの数およびタイプと、リンクの数およびタイプと、ノードの間の相互接続性とは、図７中で図示した例示的な通信システム７００のものとは異なっていてもよい。さらに、例示的な通信システム１００中で図示した機能的なエンティティを、省略してもよく、または、組み合わせてもよい。また、ネットワーク中の機能的エンティティの位置または配置は異なっていてもよい。
【００６２】
図８は、さまざまな観点に関係する、例示的なエンドノード８００を説明する。例示的なエンドノード８００は、図７中で図示したエンドノード７４４、７４６、７４４’、７４６’、７４４’’、７４６’’のうちの任意の１つとして使用されてもよい装置であってもよい。図示するように、エンドノード８００は、バス８０６によって互いに結合された、プロセッサ８０４と、ワイヤレス通信インターフェース８３０と、ユーザ入力／出力インターフェース８４０と、メモリ８１０とを含む。したがって、エンドノード８００のさまざまなコンポーネントは、バス８０６を介して、情報と、信号と、データとを交換できる。エンドノード８００のコンポーネント８０４、８０６、８１０、８３０、８４０は、筐体８０２内部に位置していてもよい。
【００６３】
ワイヤレス通信インターフェース８３０はメカニズムを提供し、このメカニズムによってエンドノード８００の内部コンポーネントが、外部デバイスとネットワークノード（例えば、アクセスノード）とに対して信号を送ることができ、外部デバイスとネットワークノードとから信号を受信することができる。ワイヤレス通信インターフェース８３０は、例えば、（例えばワイヤレス通信チャネルを介して）エンドノード８００を、他のネットワークノードに結合させるのに使用される、対応する受信アンテナ８３６を備える受信機モジュール８３２と、対応する送信アンテナ８３８を備える送信機モジュール８３４とを含む。
【００６４】
例示的なエンドノード８００はまた、ユーザ入力デバイス８４２（例えば、キーパッド）と、ユーザ出力デバイス８４４（例えば、ディスプレイ）とを含み、これらは、ユーザ入力／出力インターフェース８４０を介して、バス８０６に結合されている。したがって、ユーザ入力デバイス８４２と、ユーザ出力デバイス８４４とは、ユーザ入力／出力インターフェース８４０とバス８０６とを介して、エンドノード８００の他のコンポーネントとともに、情報と、信号と、データとを交換できる。ユーザ入力／出力インターフェース８４０と、関係するデバイス（例えば、ユーザ入力デバイス８４２、ユーザ出力デバイス８４４）はメカニズムを提供し、このメカニズムによって、ユーザがエンドノードを動作させて、さまざまなタスクを完了させることができる。特に、ユーザ入力デバイス８４２と、ユーザ出力デバイス８４４は、エンドノード８００と、アプリケーション（例えば、モジュール、プログラム、ルーチン、関数等）とを、ユーザが制御できるようにする機能を提供し、アプリケーションは、エンドノード８００のメモリ８１０中で実行される。
【００６５】
プロセッサ８０４は、メモリ８１０中に含まれるさまざまなモジュール（例えば、ルーチン）の制御の下にあってもよく、エンドノード８００の動作を制御して、ここで説明するようなさまざまなシグナリングと処理とを実行させてもよい。メモリ８１０中に含まれるモジュールは、スタートアップにおいて、または他のモジュールによって呼び出されるように実行される。モジュールは実行されるときに、データと、情報と、信号とを交換してもよい。モジュールはまた、実行されるときに、データと、情報とを共有してもよい。エンドノード８００のメモリ８１０は、シグナリング／制御モジュール８１２と、シグナリング／制御データ８１４とを含んでもよい。
【００６６】
シグナリング／制御モジュール８１２は、状態情報の記憶と、検索と、処理とを管理するための信号（例えば、メッセージ）の送受信に関連する処理を制御する。シグナリング／制御データ８１４は、例えば、パラメータ、ステータス、および／または、エンドノードの動作に関連する、他の情報のような状態情報を含む。特に、シグナリング／制御データ８１４は、構成情報８１６（例えば、エンドノード識別情報）と、動作情報８１８（例えば、現在の処理状態、保留応答のステータスについての情報）とを含んでもよい。シグナリング／制御モジュール８１２は、シグナリング／制御データ８１４にアクセスしてもよく、および／または、シグナリング／制御データ８１４を変更してもよい（例えば、構成情報８１６および／または動作情報８１８を更新する）。
【００６７】
図９は、ここで説明するさまざまな観点にしたがって実現される例示的なアクセスノード９００の図を提供する。例示的なアクセスノード９００は、図７中で図示したアクセスノード７４０、７４０’、７４０’’のうちの任意の１つとして利用される装置であってもよい。アクセスノード９００は、バス９０６によって互いに結合された、プロセッサ９０４と、メモリ９１０と、ネットワーク／インターネットワークインターフェース９２０と、ワイヤレス通信インターフェース９３０とを含む。したがって、アクセスノード９００のさまざまなコンポーネントは、バス９０６を介して、情報と、信号と、データとを交換できる。アクセスノード９００のコンポーネント９０４、９０６、９１０、９２０、９３０は、筐体９０２内部に位置していてもよい。
【００６８】
ネットワーク／インターネットワークインターフェース９２０はメカニズムを提供し、このメカニズムによって、アクセスノード９００の内部コンポーネントが、外部デバイスとネットワークノードとに信号を送ることと、外部デバイスとネットワークノードとから信号を受信することとができる。ネットワーク／インターネットワークインターフェース９２０は、アクセスノード９００を他のネットワークノードに（例えば、銅線または光ファイバー線を介して）結合させるのに使用される、受信機モジュール９２２と、送信機モジュール９２４とを含む。ワイヤレス通信インターフェース９３０はまたメカニズムを提供し、このメカニズムによって、アクセスノード９００の内部コンポーネントが、外部デバイスとネットワークノード（例えば、エンドノード）とに信号を送ることと、外部デバイスとネットワークノードとから信号を受信することとができる。ワイヤレス通信インターフェース９３０は、例えば、対応する受信アンテナ９３６を備える受信機モジュール９３２と、対応する送信アンテナ９３８を備える送信機モジュール９３４とを含む。ワイヤレス通信インターフェース９３０を使用して、アクセスノード９００を、（例えば、ワイヤレス通信チャネルを介して）他のネットワークノードに結合させてもよい。
【００６９】
メモリ９１０中に含まれるさまざまなモジュール（例えば、ルーチン）の制御の下にあるプロセッサ９０４は、アクセスノード９００の動作を制御して、さまざまなシグナリングと処理とを実行させる。メモリ９１０中に含まれるモジュールは、スタートアップにおいて、または、メモリ９１０中に存在していてもよい他のモジュールによって呼び出されるように実行されてもよい。モジュールは実行されるときに、データと、情報と、信号とを交換してもよい。モジュールはまた、実行されるときに、データと、情報とを共有してもよい。例として、アクセスノード９００のメモリ９１０は、状態管理モジュール９１２と、シグナリング／制御モジュール９１４とを含んでもよい。これらのモジュールのそれぞれに対応して、メモリ９１０はまた、状態管理データ９１３と、シグナリング／制御データ９１５とを含む。
【００７０】
状態管理モジュール９１２は、状態の記憶と検索とに関して、エンドノードまたは他のネットワークノードからの受信信号の処理を制御する。状態管理データ９１３は、例えば、状態または状態の一部のような、あるいは、他の何らかのネットワークノード中に記憶されている場合には、現在のエンドノード状態の位置のような、エンドノード関連の情報を含む。状態管理モジュール９１２は、状態管理データ９１３にアクセスしてもよく、および／または、状態管理データ９１３を変更してもよい。
【００７１】
シグナリング／制御モジュール９１４は、基本的なワイヤレス機能、ネットワーク管理等のような、他の動作に対して必要とされるように、ワイヤレス通信インターフェース９３０を通してのエンドノードへの／エンドノードからの信号と、ネットワーク／インターネットワークのインターフェース９２０を通しての他のネットワークノードへの／他のネットワークノードからの信号との処理を制御する。シグナリング／制御データ９１５は、例えば、基本的な動作のためのワイヤレスチャネル割当に関するエンドノード関連のデータと、基本的なネットワーク通信のためのサポート／管理サーバのアドレス、構成情報のような、他のネットワーク関連のデータとを含む。シグナリング／制御モジュール９１４は、シグナリング／制御データ９１５にアクセスしてもよく、および／または、シグナリング／制御データ９１５を変更してもよい。
【００７２】
図１０を参照して、１次基地局に対する新しく確立された接続に関係する通知を提供するシステム１０００を説明する。機能的ブロックを含むとしてシステム１０００が表現されていることを理解すべきであり、機能的ブロックは、プロセッサ、ソフトウェア、または、これらの組み合わせ（例えば、ファームウェア）によって実現される機能を表現する機能的ブロックとすることができる。システム１０００は、ワイヤレス端末中で実現することができ、第１の基地局に対する第１の接続を提供する論理モジュール１００２を具備することができる。任意の数の基地局に対する任意の数の接続が提供されてもよいことが企図されている。さらに、システム１０００は、第２の基地局から発せられた信号を取得する論理モジュール１００４を具備してもよい。例えば、信号はビーコンであってもよい。さらに、信号を評価して、第２の基地局との接続を形成させることを進めるか否かを決定してもよい。システム１０００はまた、第２の基地局に対する第２の接続を確立する論理モジュール１００６を具備してもよい。さらに、システム１０００は、第２の接続の確立を示す通知を、第１の基地局に送信する論理モジュール１００８を具備してもよい。
【００７３】
ここで、図１１を参照して、パケットのルーティングを容易にするシステム１１００を説明する。プロセッサ、ソフトウェア、または、これらの組み合わせ（例えば、ファームウェア）によって実現されてもよい機能を表現してもよい、機能的ブロックを含むとしてシステム１１００を表現する。システム１１００は、基地局中で実現されてもよく、基地局が１次基地局であるか否かを評価する論理モジュールを具備してもよい。さらに、システム１１００は、基地局が優先される基地局であるか否かを決定する論理モジュールも具備してもよい。例えば、基地局に関係する専用制御チャネルを通して取得されたリンク優先情報を監視してもよい。システム１１００はまた、基地局が１次基地局であるか否かと、基地局が優先される基地局であるか否かとに基づいて、パケットをルーティングする論理モジュールも具備してもよい。
【００７４】
ソフトウェアの実現に関して、ここで説明した技術を、ここで説明した機能を実行するモジュール（例えば、手続、関数等）で実現してもよい。メモリユニット中にソフトウェアコードを記憶してもよく、プロセッサによって実行してもよい。メモリユニットは、プロセッサ内部で、または、プロセッサに対して外付けで実現されてもよく、外付けのケースでは、技術的に知られているさまざまな手段を介して、プロセッサと通信可能に結合させることができる。
【００７５】
上で説明したことは、１つ以上の実施形態の例を含む。もちろん、前述の実施形態を説明する目的で、あらゆる考え得るコンポーネントまたは方法の組み合わせを説明することはできないが、さまざまな実施形態の、多くのさらなる組み合わせおよび置換が可能であることを当業者は理解するだろう。したがって、説明した実施形態は、添付の特許請求の範囲の精神と範囲内に入る、すべてのこのような代替と、変更と、変形とを包含することを意図している。さらに、詳細な説明または特許請求の範囲のいずれかにおいて、用語“含む”が使用される限りでは、このような用語は、“具備する”が、特許請求の範囲中で、移行語として用いられるときに解釈されるように、用語“具備する”に類似する方法で、包括的であることを意図している。
【図１】
2009544243.tif 000003
【図２】
2009544243.tif 000004
【図３】
2009544243.tif 000005
【図４】
2009544243.tif 000006
【図５】
2009544243.tif 000007
【図６】
2009544243.tif 000008
【図７】
2009544243.tif 000009
【図８】
2009544243.tif 000010
【図９】
2009544243.tif 000011
【図１０】
2009544243.tif 000012
【図１１】
2009544243.tif 000013
【国際調査報告】
2009544243.tif 000014
2009544243.tif 000015
2009544243.tif 000016